(57)【要約】【課題】導体装置を外部の放熱システムへねじ締めする際に間違った順番でねじ締めがされることを防止可能な半導体装置を提供する。【解決手段】本願に係る半導体装置１００は、半導体素子を有する通電部と、通電部を囲うケース８と、通電部及びケース８の裏側に設けられた放熱板と、ケース８もしくは放熱板の少なくとも一方に設けられた外部の放熱システムに締め付けるための複数のねじ締め穴８ａと、複数のねじ締め穴８ａのそれぞれの近傍に設けられ、複数のねじ締め穴８ａに設けられるねじを締める順番を表示した複数の締付け順番表示構造８ｂとを備える。【選択図】      図１
2020161605.tif 000002
【特許請求の範囲】
【請求項１】
半導体素子を有する通電部と、
前記通電部を囲うケースと、
前記通電部及び前記ケースの裏側に設けられた放熱板と、
前記ケースもしくは前記放熱板の少なくとも一方に設けられた外部の放熱システムに締め付けるための複数のねじ締め穴と、
複数の前記ねじ締め穴のそれぞれの近傍に設けられ、複数の前記ねじ締め穴に設けられるねじを締める順番を表示した複数の締付け順番表示構造と、
を備えた半導体装置。
【請求項２】
前記締付け順番表示構造のそれぞれは、前記ねじ締め穴から最も近い別の前記ねじ締め穴までの距離の２分の１の距離を半径とする範囲内に設けられている請求項１に記載の半導体装置。
【請求項３】
前記ねじ締め穴は、記前記通電部を挟んで複数設けられている請求項１または２に記載の半導体装置。
【請求項４】
複数の前記ねじ締め穴は、前記通電部を挟んだ一方側と他方側とにそれぞれ同じ数設けられ、複数の前記締付け順番表示構造が表示する順番のうち偶数番目の順番は、前記偶数番目の順番の１つ前の順番と対角となる位置に設けられている請求項３に記載の半導体装置。
【請求項５】
前記通電部を挟んだ一方側または他方側の複数の前記締付け順番表示構造が表示する順番は、中央側の順番が外側の順番より先である請求項４に記載の半導体装置。
【請求項６】
複数の前記ねじ締め穴は、前記放熱板のみに設けられ、
前記ねじ締め穴が、前記ケースのおもて面側から視認可能である請求項１から５のいずれか１項に記載の半導体装置。
【請求項７】
前記ケースは前記放熱板に隣接したねじ締め用平坦部を有し、
前記ねじ締め用平坦部に複数の前記ねじ締め穴を有する請求項１から６のいずれか１項に記載の半導体装置。
【請求項８】
前記ねじ締め用平坦部に前記締付け順番表示構造を有する請求項７に記載の半導体装置。
【請求項９】
前記締付け順番表示構造は前記ケースに設けられ、凹部構造、インク印字構造、レーザー印字構造のいずれかを用いて前記各ねじ締め穴のねじを締める順番を表示した請求項１から７のいずれか１項に記載の半導体装置。
【請求項１０】
前記締付け順番表示構造は前記放熱板に設けられ、凹部構造、レジスト構造、めっき構造のいずれかを用いて前記各ねじ締め穴のねじを締める順番を表示した請求項１から５のいずれか１項に記載の半導体装置。
【発明の詳細な説明】
【技術分野】
【０００１】
本願は、半導体装置に関する。
【背景技術】
【０００２】
インバータ等に用いられるパワーモジュールなどの半導体装置では、通電時にパワーチップで発生した熱を効率よく放熱することが重要である。放熱技術としては、半導体装置から少なくとも一面が露出した熱伝導率の高い放熱板を備え、放熱板の露出した一面をフィンなどの外部の放熱システムに接触させてパワーチップで発生した熱を放熱板を介して外部の放熱システムに伝熱させて放熱する技術がある。
【０００３】
例えば、従来の半導体装置では、放熱板に複数のねじ締め穴を設けて、ねじ締め穴にて放熱板と放熱システムとをねじで締めることで放熱板と放熱システムとを密着させ、パワーチップで発生した熱を放熱システムに伝熱させて放熱させている（例えば、特許文献１）。
【０００４】
従来の半導体装置のねじ締め作業者は、ねじ締め穴をどのような順番でねじ締めするかを、半導体装置のカタログ等の仕様書にて確認して作業をしている。
【先行技術文献】
【特許文献】
【０００５】
【特許文献１】特開２００６−２４５４７９号公報
【発明の概要】
【発明が解決しようとする課題】
【０００６】
しかしながら、上述したような従来の半導体装置においては、取り付け作業者が半導体装置のカタログ等の仕様書に記載の締め付け順番を誤って認識した場合に、間違った順番で、放熱板とフィンとをねじ締めする懸念があった。間違った順番でねじ締めをした場合には、ねじが十分に締まらずに半導体装置全体の放熱性が低下する等の懸念があった。
【０００７】
本願は、上述のような課題を解決するためになされたもので、間違った順番でねじ締めがされることを防止可能な半導体装置を提供することを目的とする。
【課題を解決するための手段】
【０００８】
本願に開示される半導体装置は、半導体素子を有する通電部と、通電部を囲うケースと、通電部及びケースの裏側に設けられた放熱板と、ケースもしくは放熱板の少なくとも一方に設けられた外部の放熱システムに締め付けるための複数のねじ締め穴と、複数のねじ締め穴のそれぞれの近傍に設けられ、複数のねじ締め穴に設けられるねじを締める順番を表示した複数の締付け順番表示構造とを備える。
【発明の効果】
【０００９】
本願に開示される半導体装置によれば、半導体装置に設けられた締め付け順番に従ってねじ締めを行うことができるため、間違った順番でねじ締めがされることが防止可能な半導体装置を提供することが可能である。
【図面の簡単な説明】
【００１０】
【図１】実施の形態１に係る半導体装置を上面から見た平面図である。
【図２】実施の形態１に係る半導体装置を下面から見た平面図である。
【図３】実施の形態１に係る半導体装置の断面図である。
【図４】締付け順番表示構造の配置箇所の一例を示す図である。
【図５】比較例に係る半導体装置を片締めとなる順番で締め付けた場合の側面図である。
【図６】締付け順番表示構造の表示の順番の変更例である。
【図７】実施の形態２に係る半導体装置を上面から見た平面図である
【図８】実施の形態２に係る半導体装置の断面図である。
【図９】実施の形態３に係る半導体装置を上面から見た平面図である。
【発明を実施するための形態】
【００１１】
以下、図面を参照しながら実施の形態について説明する。図面は模式的に示されたものであるため、サイズ及び位置の相互関係は変更し得る。以下の説明では、同じまたは対応する構成要素には同じ符号を付与し、繰り返しの説明を省略する場合がある。
【００１２】
また、以下の説明では、「上」、「下」、「側」、「底」、「表（おもて）」または「裏」などの特定の位置及び方向を意味する用語が用いられる場合があるが、これらの用語は、実施の形態の内容を理解することを容易にするために便宜上用いられているものであり、実際に実施される際の方向を限定するものではない。
【００１３】
なお、各実施の形態を組み合わせたり、各実施の形態を適宜、変形、省略したりすることが可能である。
【００１４】
＜実施の形態１＞
図１、図２、図３を用いて実施の形態１に係る半導体装置１００の構成を説明する。図１は実施の形態１に係る半導体装置を上面から見た平面図である。図２は実施の形態１に係る半導体装置を下面から見た平面図である。図３は実施の形態１に係る半導体装置の断面図である。図３は図１に記載のＡ−Ａ線での断面図である。
【００１５】
図２に示すように、半導体装置１００は、放熱板１を有する。放熱板１は銅やアルシンク（Ａｌ−ＳｉＣ）等から構成される。放熱板１は矩形状であり、放熱板１の裏面は、全面が半導体装置１００から露出している。放熱板１は、プレス加工や切削加工等の機械的加工によって形成された８つのねじ締め穴１ａを有する。ねじ締め穴１ａは、放熱板１に
２列で平行に配置される。具体的には、ねじ締め穴１ａが４つずつ２列で設けられる。各列で４つのねじ締め穴１ａの中心を結び描いた仮想線Ｌは夫々が直線であり、二つの仮想線Ｌは平行である。また、各列の４つのねじ締め穴１ａは、夫々が距離Ｄを空けて等間隔に配置されている。
【００１６】
図３に示すように、放熱板１のおもて面上には絶縁体で構成された絶縁層２が配置されている。放熱板１と絶縁層２とはろう付け等により接合されている。絶縁層２のおもて面上には銅やアルミ等の導体をパターン状に形成した電気回路パターン３が配置されている。絶縁層２と電気回路パターン３とはろう付け等により接合されている。電気回路パターン３のおもて面上には、半導体素子であるスイッチング素子４及び還流素子５が配置され、夫々がはんだ(図示せず)により電気回路パターン３に接合されている。スイッチング素子４には、絶縁ゲートバイポーラトランジスタやＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）等が用いられ、還流素子５にはダイオード等が用いられる。
【００１７】
通電部７は、電気回路パターン３、スイッチング素子４、還流素子５、ワイヤボンディング６にて構成される。スイッチング素子４及び還流素子５のおもて面はワイヤボンディング６により電気的に接続され、スイッチング素子４及び還流素子５の裏面は電気回路パターン３により電気的に接続されている。つまり、ワイヤボンディング６及び電気回路パターン３を電気配線として、スイッチング素子４及び還流素子５が電気的に接続されて通電部７が構成されている。
【００１８】
通電部７を囲うようにケース８が配置される。ケース８はＰＰＳ（Ｐｏｌｙ  Ｐｈｅｎｙｌｅｎｅ  Ｓｕｌｆｉｄｅ  Ｒｅｓｉｎ）等の絶縁体にて構成される。ケース８は、放熱板１のおもて面上に配置され、放熱板１と接着材（図示せず）で接着され固定されている。ケース８は、ねじ締め用平坦部８ｃと通電部囲繞部８ｄとで構成される。ねじ締め用平坦部８ｃは放熱板１に隣接している。また、ねじ締め用平坦部８ｃの放熱板１の裏面からの距離は、通電部囲繞部８ｄよりも近い。ケース８の内壁側には絶縁性の封止材９が配置される。封止材９は、例えば、シリコーンゲルやエポキシ系の樹脂などが用いられる。
【００１９】
ケース８は、インサート成形（一体成形）により成形されている。インサート成形により、信号電極１０及び主電極１１の夫々の中間部がケース８に覆われて一体化され、信号電極１０及び主電極１１がケース８に固定されている。信号電極１０と主電極１１との間には、ケース８が配置されており、信号電極１０と主電極１１とが電気的に絶縁されている。ただし、ケースは必ずしも信号電極１０及び主電極１１をインサート成形とする必要はなく、必要に応じて信号電極１０及び主電極１１をケースに圧入もしくはねじ締めをして固定したアウトサートケースとしても良い。
【００２０】
図３に示すように、信号電極１０の中間部はケース８に覆われるが、信号電極１０の一端側は、ケース８の外壁から露出している。信号電極１０の他端側(図示せず)は別の断面においてケース８の内壁から露出している。主電極１１の中間部(図示せず)はケース８に覆われており、主電極１１の一端側は、図３に示すように、ケース８の外壁から露出している。主電極１１の他端側(図示せず)は、別の断面にてケース８の内壁から露出している。
【００２１】
信号電極１０の一端側の下には、ナット１２が配置され、ナット１２はケース８に固定されている。平面視にて信号電極穴１０ａの中心とナット１２の中心とは製造誤差の範囲内において同心である。信号電極穴１０ａに制御信号を入力する外部機器をねじ締めできる構成である。別の断面において主電極１１の一端側の下には、ナット（図示せず）が配置され、ナットはケース８に固定されている。平面視にて主電極穴（図３には図示せず）の中心とナットの中心とは製造誤差の範囲内において同心である。主電極穴に外部システムをねじ締めできる構成である。
【００２２】
信号電極１０の他端側は、スイッチング素子４と電気的に接続している。信号電極１０の他端側とスイッチング素子４との電気的な接続は、はんだもしくはワイヤボンディングを介して接続して良い。主電極１１は、通電部７と電気的に接続している。以上の接続により、信号電極１０を介してスイッチング素子４に制御信号が入力され、制御信号に応じてスイッチング素子４が通電部７の通電を制御して、主電極１１を介して通電部７を流れる電流を外部システムに通電することができる。
【００２３】
図１に示すように、半導体装置１００は、信号電極１０を６つ有しており、主電極１１を３つ有する。主電極１１には、外部システムを電気的に接続するための主電極穴１１ａが設けられている。
【００２４】
ケース８のねじ締め用平坦部８ｃは、おもて面側に８つのねじ締め穴８ａを有する。ねじ締め用平坦部８ｃはねじ締め穴８ａのねじを容易に締め付けるために設けられる部位であり、ワッシャー等が付いたねじであっても容易にねじが締められるように、ねじ締め穴８ａの中心付近には凸部がない。具体的には、ねじ締め穴８ａの中心から半径１０ｍｍ以内のねじ締め用平坦部８ｃには凸部を設けないことが望ましい。
【００２５】
ねじ締め用平坦部８ｃに設けられたねじ締め穴８ａと、放熱板１に設けられたねじ締め穴１ａとは平面視にて製造誤差の範囲内において同心円である。ねじ締め穴８ａは、ケース８の左右に設けられたねじ締め用平坦部８ｃのそれぞれに１列ずつ設けられ、ケース８の左側に設けられたねじ締め穴８ａの列とケース８の右側に設けられたねじ締め穴８ａの列とが平行に２列で配置されている。ねじ締め用平坦部８ｃに設けられた８つのねじ締め穴８ａの近傍のおもて面には、１つのねじ締穴８ａにつき１つの締付け順番表示構造８ｂが設けられている。締付け順番表示構造８ｂは、視認可能な構造であり、形状によりねじを締め付ける順番を表示する。例えば、図１に示すように、アラビア数字の形状により締め付ける順番を表示する。８つの締付け順番表示構造１ｂは夫々が異なる形状であり、異なるねじの締め付け順番を示す。
【００２６】
ねじ締め用平坦部８ｃに設けられる締付け順番表示構造８ｂについて具体的に説明する。締付け順番表示構造８ｂは、夫々のねじ締め穴８ａのねじをいかなる順番で締め付ければ良いかを形状の違いにより表示する。そのため、１つのねじ締め穴８ａに対して、１つの締付け順番表示構造８ｂがセットとして設けられ、締付け順番表示構造８ｂは対応するねじ締め穴８ａの近傍に配置される。
【００２７】
図１に示すように、締付け順番表示構造８ｂは、ケース８のおもて面から視認可能な位置に設けられる。また、締付け順番表示構造８ｂは、ねじ締め穴８ａの中心から半径Ｒで示される円領域Ｃに設けられることが望ましい。締付け順番表示構造８ｂが円領域Ｃに設けられるとは、締付け順番表示構造８ｂの一部が設けられるのではなく締付け順番表示構造８ｂの全体が設けられることを指す。半径Ｒの長さは、複数のねじ締め穴８ａの内で、いずれか１つのねじ締め穴８ａを選択した場合において、選択したねじ締め穴８ａから最も近い別のねじ締め穴８ａまでの距離の２分の１である。
【００２８】
図１に示すような、半導体装置１００においては、いずれか１つのねじ締め穴を選択した場合においても最も近い別のねじ締め穴８ａまでの間隔は前述した距離Ｄとなることから、いずれのねじ締め穴８ａを選択した場合においても半径Ｒは、距離Ｄの２分の１となる。ねじ締め穴８ａが等間隔に配置されない場合は、各ねじ締め穴のいずれかを選択した場合においても最も近い別のねじ締め穴８ａまでの距離の２分の１を半径とした円領域の中に入るように、各ねじ締め穴と各ねじ締め穴に対応する締付け順番表示構造との距離を調整することが望ましい。領域Ｒに締付け順番表示構造８ｂを設けることで、各締付け順番表示構造８ｂがいずれのねじ締め穴８ａに対応するかを誤って認識することを防止できる。
【００２９】
図４は、締付け順番表示構造８ｂの配置箇所の一例を示す図である。図４に示すように締付け順番表示構造８ｂは円領域Ｃの中であれば通電部囲繞部８ｄに設けても良い。しかしながら、締付け順番表示構造８ｂは、ねじ締穴８ａが設けられている位置のケース８の高さと同等な高さに設けられることで視認性が高まるので、ねじ締め用平坦部８ｃにねじ締穴８ａが設けられる場合は、ねじ締め用平坦部８ｃに締付け順番表示構造８ｂを設けることが望ましい。
【００３０】
締付け順番表示構造８ｂで表示される数字は、同じ数字が重複することなく、かつ、数字が抜けることなく１から８までが表示されている。締付け順番表示構造１ｂで表示される数字の内で偶数番目の数字２ｎ（ｎ＝１、２、３、・・・、∞）は、その一つ前の数字２ｎ−１と対角となる箇所に表示される。
【００３１】
締付け順番表示構造８ｂは、例えば、ケースの成形時の金型の形状、もしくは、ケース成形後に機械的加工により形成された凹部構造である。表示に、アラビア数字を用いる場合には、８つのねじ締め穴８ａの夫々に対応した数字の形状に凹部構造が設けられる。締付け順番表示構造８ｂをケース成形時の金型の形状にて凹部構造を形成する場合は、ケース８の成形時の金型の形状を一度変更するだけで形成することが可能であり、その他の締付け順番表示構造８ｂを形成するために追加となる工程が不要である。
【００３２】
次にこのように構成された半導体装置の取り付け作業時の効果について説明する。取り付け作業者は、締付け順番表示構造８ｂを目視で確認しながら締付け順番表示構造８ｂで表示された１から８までに対応するねじ締め穴８ａを１から８まで順番にねじ締めすることができる。仮に作業者が、半導体装置のカタログ等の仕様書に記載の締め付け順番を誤って認識した場合においても、締付け順番表示構造８ｂを確認することで間違った順番でねじ締めすることが防止できる。
【００３３】
また、同じ数字が重複することなく、かつ、数字が抜けることなく表示されていることから、数字に従ってねじ締め作業をすることで、複数設けられたねじ締め穴８ａの全てを抜け・漏れなくねじ締めすることができる。
【００３４】
また、ケース８の円領域Ｃに締付け順番表示構造８ｂを設けることで、各締付け順番表示構造８ｂがいずれのねじ締め穴８ａに対応するかを間違うことなく取り付け作業ができる。
【００３５】
また、偶数番目の数字２ｎがその一つ前の数字２ｎ−１と対角となる箇所に配置することで、半導体装置の片締め（ケース８の２列に設けられたねじ締め穴８ａの内、片方の列のねじ締め穴８ａばかりを先にねじ締めをするねじ締め方法）となることも防止可能である。片締めにより、図５に示すような半導体装置が放熱システムの表面に対して片側が浮くように傾いて取り付けられることも防止することができる。
【００３６】
図５は、比較例に係る半導体装置を片締めとなる順番で締め付けた場合の側面図である。図５は、比較例に係る半導体装置１５０をフィン７０にねじ６０にてねじ締めした状態を側面から見た図である。ケース５８には、締付け順番表示構造が設けられていない。放熱板５１の裏面はフィン７０の側に凸となる形状である。図５において、放熱板５１とフィン７０とが密着している側は先にねじ６０を締め付けた側を示し、放熱板５１とフィン７０との間に隙間Ｇがある側は後にねじ６０を締め付けた側を示す。片締めにより半導体装置が放熱システムの表面に対して片側が浮くように傾いて取り付けられる理由は、片締めした（片列側のねじ６０だけを締め付けた）時点で、後にねじ締めする側の放熱板５１がフィン７０から離れてしまって固定され、他方のねじ６０含めて全てを締め付けても後にねじ６０を締め付けた側に隙間Ｇが残るためである。
【００３７】
一方で、図１の締付け順番表示構造８ｂの表示の順番でねじを締め付けた場合には、片締めした場合と比較して隙間が残らない。図１の締付け順番表示構造８ｂの表示のように偶数番目にその一つ前の順番と対角の位置のねじを締めることで小まめに隙間を小さくするように矯正した方が、全てのねじ締めを完了した際の隙間が残らないためである。
【００３８】
片締めにより半導体装置が傾いて取り付けられる主な理由は様々であるが、例えば、放熱板の裏面が凸となる形状だけでなく、フィンが放熱板側に凸であっても発生する。また、放熱板の裏面の凸形状は、放熱板１の中央部の放熱性を向上させるなどの故意的な理由や、反りのバラツキや取り付け先への搬送時の打痕等の故意としない理由で構成される。
【００３９】
しかしながら、いかなる理由においても、ケース８に締付け順番表示構造８ｂを設けることで、半導体装置の取り付け作業者は、任意の正しい順番でのねじ締めを締付け順番表示構造８ｂの表示に従って実施することができることから、上述のような意図しない順番でねじ締めされることを防止できる。ただし、放熱性以外の理由などから意図的に片締めをする製品の場合においては、締付け順番表示構造８ｂの表示の順番を片締めとなる順番としてよい。
【００４０】
本願の実施の形態１に係る半導体装置１００の締付け順番表示構造８ｂは、図１に示すように、アラビア数字で表示され、四隅から順番に小さい数字で表示されるが、締付け順番表示構造８ｂで表示される数字の順番は、この順番に限らない。図６は、締付け順番表示構造の表示の順番の変更例である。例えば、図６に示すように、ねじ締め穴８ａが形成された２列の中央側の順番が先になるように締付け順番表示構造８ｂ表示の順番を変更しても、誤った順番でねじ締めされることが防止でき、放熱性の向上が可能な半導体装置を得ることができる。
【００４１】
図６に示すような締付け順番表示構造８ｂの表示の順番とした場合は、特に放熱板とフィンとの間に半個体状のグリースを配置する場合に半導体装置の放熱性の向上が可能である。グリースは高い熱伝導率を有するものが一般的に選択されるが、グリースにも熱抵抗があることから、グリースを薄く少量とすることで半導体装置の放熱性は向上できる。図６のような、締付け順番表示構造８ｂの表示の順番でねじ締めをすることで、放熱板の中央側に塗布されていたグリースをねじ締め時に徐々に放熱板の外側に逃がすことができる。放熱板の外側に逃がしたグリースの分だけ、放熱板とフィンとの間に残るグリースを少なくできることから、半導体装置の放熱性が向上できる。
【００４２】
締付け順番表示構造８ｂの構造は、視認できれば良いことから凹部構造に限らない。例えば、ケース８と色や光沢の異なるようなレーザーやインクで印字したレーザー印字構造やインク印字構造であっても良い。レーザーやインクは、製品の形名を表示するラベルの印字にも一般的に使用される材料であることから、レーザーやインクを用いる場合は材料の管理が容易である。
【００４３】
＜実施の形態２＞
図７、図８を用いて本発明の実施の形態２に係る半導体装置２００の構成を説明する。図７は、実施の形態２に係る半導体装置を上面から見た平面図である。図８は実施の形態２に係る半導体装置の断面図である。図８は図７に記載のＢ−Ｂ線での断面図である。なお、本発明の実施の形態２では、本発明の実施の形態１と同一又は対応する部分についての説明は、省略する。
【００４４】
図８に示すように、実施の形態２に係る半導体装置は、放熱板２１に設けられたねじ締め穴２１ａの周辺のおもて面にはケース２８が配置されていない。ねじ締め穴２１ａの周辺は、放熱板２１のおもて面が露出しており、放熱板２１の露出した面はケース２８のおもて面側から視認可能である。
【００４５】
図７に示すように、実施の形態２に係る半導体装置２００では、締付け順番表示構造２１ｂが放熱板２１の露出したおもて面に設けられる。放熱板２１には、８か所のねじ締め穴２１ａが設けられ、１つのねじ締め穴２１ａに対して、１つの締付け順番表示構造２１ｂがセットとして設けられる。締付け順番表示構造２１ｂは対応するねじ締め穴２１ａの近傍に配置される。
【００４６】
放熱板２１に設けられる締付け順番表示構造２１ｂについて具体的に説明する。締付け順番表示構造２１ｂは、夫々のねじ締め穴２１ａのねじをいかなる順番で締め付ければ良いかを形状の違いにより表示する。締付け順番表示構造２１ｂは、例えば、放熱板２１にプレス加工や削り加工等の機械的加工により形成された凹部構造であり、表示に、アラビア数字を用いる場合には、８つのねじ締め穴８ａの夫々に対応した数字の形状に凹部が設けられる。締付け順番表示構造８ｂを凹部構造とする場合は、ねじ締め穴８ａの機械的加工と同時に形成することが可能であり、放熱板１の製造プロセスの簡略化が可能である。
【００４７】
図７に示すように、締付け順番表示構造２１ｂは、ケース２８のおもて面から視認可能な位置に設けられる。締付け順番表示構造２１ｂは、ねじ締め穴２１ａの中心から半径Ｒ２で示される円領域Ｃ２に設けられることが望ましい。締付け順番表示構造２１ｂが円領域Ｃ２に設けられるとは、締付け順番表示構造２１ｂの一部が設けられるのではなく締付け順番表示構造２１ｂの全体が設けられることを指す。半径Ｒ２の長さは、複数のねじ締め穴２１ａの内で、いずれか１つのねじ締め穴８ａを選択した場合において、選択したねじ締め穴２１ａから最も近い別のねじ締め穴２１ａまでの距離の２分の１である。円領域Ｃ２に締付け順番表示構造８ｂを設けることで、各締付け順番表示構造２１ｂがいずれのねじ締め穴２１ａに対応するかを誤って認識することを防止できる。
【００４８】
次にこのように構成された半導体装置の取り付け作業時の効果について説明する。取り付け作業者は、締付け順番表示構造２１ｂを目視で確認しながら締付け順番表示構造２１ｂで表示された１から８までに対応するねじ締め穴２１ａを１から８まで順番にねじ締めすることができる。仮に作業者が、半導体装置のカタログ等の仕様書に記載の締め付け順番を誤って認識した場合においても、締付け順番表示構造２１ｂを確認することで間違った順番でねじ締めすることが防止できる。
【００４９】
締付け順番表示構造２１ｂの構造は、視認できればよいことから凹部構造に限らない。例えば、放熱板２１と色や光沢の異なるレジストを塗布したレジスト構造であってもよいし、放熱板２１と色や光沢の異なるめっきを塗布しためっき構造であっても良い。レジストははんだ付着を防止するマスクの目的で放熱板に一般的に塗布される材料であり、めっきははんだ付着を防止する目的で放熱板に一般的に塗布される材料であるため、材料の管理が容易である。
【００５０】
＜実施の形態３＞
図９を用いて実施の形態３に係る半導体装置３００の構成を説明する。図９は、実施の形態３に係る半導体装置を上面から見た平面図である。なお、本発明の実施の形態３では、本発明の実施の形態１及び実施の形態２と同一又は対応する部分についての説明は、省略する。
【００５１】
図９に示すように、実施の形態３に係る半導体装置３００は、ねじ締め穴３１ａが放熱板３１に設けられるが、締付け順番表示構造３８ｂは、ケース３８に設けられる。ねじ締め穴３１の周辺では放熱板３１のおもて面が露出しており、放熱板３１のおもて面の露出した面はケース３８のおもて面側から視認可能である。放熱板３１はおもて面に８つの露出した面を有する。放熱板３１のおもて面の８つの露出した面の間にはケース３８が配置され、ケース３８により放熱板３１のおもて面の露出した面は８つに分離されている。放熱板３１のおもて面の８つの露出した面には、各露出面につき１つずつねじ締め穴３１ａが設けられる。
【００５２】
実施の形態３においては、ねじ締め穴３１ａは放熱板３１に設けられるが、締付け順番表示構造３８ｂは、ケース３８に設けられる。放熱板に締付け順番表示構造を設けることが困難な場合には、ケースに締付け順番表示構造を設けることが可能である。このように、ねじ締め穴を放熱板に設け、締付け順番表示構造をケースに設けることは、半導体装置の製造の設計を容易とすることができる。
【００５３】
次にこのように構成された半導体装置の取り付け作業時の効果について説明する。放熱板３１のおもて面の各露出面につき１つずつねじ締め穴３１ａが設けられていることから、取り付け作業者は、ねじ締め穴３１ａを容易に見つけることができる。ねじ締め穴３１ａの近傍には順番表示構造３８ｂが配置されており、順番表示構造３８ｂを目視で確認しながら締付け順番表示構造３８ｂで表示された１から８までに対応するねじ締め穴３１ａを１から８まで順番にねじ締めすることができる。仮に作業者が、半導体装置のカタログ等の仕様書に記載の締め付け順番を誤って認識した場合においても、締付け順番表示構造３８ｂを確認することで間違った順番でねじ締めすることが防止できる。
【符号の説明】
【００５４】
１      放熱板
１ａ    ねじ締め穴
４      スイッチング素子
５      還流素子
７      通電部
８      ケース
８ａ    ねじ締め穴
８ｂ    締付け順番表示構造
８ｃ    ねじ締め用平坦部
２１      放熱板
２１ａ  ねじ締め穴
２１ｂ  締付け順番表示構造
２８    ケース
３１    放熱板
３１ａ  ねじ締め穴
３８    ケース
３８ｂ  締付け順番表示構造
Ｃ      円領域
Ｃ２    円領域
Ｄ      距離
Ｄ２    距離
Ｌ      仮想線
Ｒ      半径
Ｒ２    半径
【図１】
2020161605.tif 000003
【図２】
2020161605.tif 000004
【図３】
2020161605.tif 000005
【図４】
2020161605.tif 000006
【図５】
2020161605.tif 000007
【図６】
2020161605.tif 000008
【図７】
2020161605.tif 000009
【図８】
2020161605.tif 000010
【図９】
2020161605.tif 000011